(57)【特許請求の範囲】
【請求項１】
内容物が収容される内容器と、
該内容器を着脱自在に収納する横断面視多角形状の外容器と、
前記外容器との間で前記内容器の容器軸方向の移動を規制し、前記内容器を前記外容器に固定する固定部材と、を備え、
前記固定部材は、
前記外容器に着脱可能に係合された係合部材と、
前記係合部材に対して前記内容器の容器軸回りに回転可能に配設された回転部材と、を備え、
前記係合部材には、前記容器軸方向に直交する径方向に弾性変形可能で、前記外容器に径方向から係合される係合片が設けられ、
前記回転部材には、径方向において前記係合部材を間に挟んで前記外容器の反対側から前記係合部材側に向けて突出する押さえ突部が設けられ、
前記回転部材は、前記押さえ突部が前記係合片に径方向で重なり、前記係合片の変形を規制する押さえ位置と、前記係合片の変形の規制を解除する解除位置と、の間を前記容器軸回りに回転可能に構成されていることを特徴とする二重容器。
【請求項２】
前記内容器を前記容器軸方向に付勢して、前記外容器もしくは前記固定部材に押し付ける付勢部材を備えていることを特徴とする請求項１記載の二重容器。
【請求項３】
前記付勢部材は、前記回転部材に設けられ、前記内容器のうち口部の下端縁から径方向の外側に向けて突設された肩部に前記容器軸方向で当接して、前記容器軸方向のうち前記回転部材と前記内容器とが離間する方向に向けて付勢する弾性押さえ片であることを特徴とする請求項２記載の二重容器。
【請求項４】
前記付勢部材は、前記外容器の底部と前記内容器の底部との間に配設され、前記容器軸方向に沿って弾性変形可能な弾性部材であることを特徴とする請求項２記載の二重容器。
【発明の詳細な説明】
【技術分野】
【０００１】
本発明は、二重容器に関する。
【背景技術】
【０００２】
化粧水等の化粧料や、シャンプー、リンス、液体石鹸等の内容物が収容された内容器を外容器内に収納し、内容器の口部に取り付けられた吐出器を操作することによって内容物を吐出する二重容器が知られている。このような二重容器としては、内側に内容器の口部が嵌合される一方、外側に外容器の開口部が嵌合されることで、外容器内に内容器を保持する固定部材を備えた構成が知られている（例えば、特許文献１参照）。
【先行技術文献】
【特許文献】
【０００３】
【特許文献１】特許第４３９６８８８号公報
【発明の概要】
【発明が解決しようとする課題】
【０００４】
本発明は、横断面視多角形状の外容器内に内容器を強固に保持できるとともに、内容器の取り外し時においては、内容器を容易に取り外すことができる操作性に優れた二重容器を提供することを目的とする。
【課題を解決するための手段】
【０００５】
上記課題を解決するために、本発明は以下の手段を提案している。
本発明に係る二重容器は、内容物が収容される内容器と、該内容器を着脱自在に収納する横断面視多角形状の外容器と、前記外容器との間で前記内容器の容器軸方向の移動を規制し、前記内容器を前記外容器に固定する固定部材と、を備え、前記固定部材は、前記外容器に着脱可能に係合された係合部材と、前記係合部材に対して前記内容器の容器軸回りに回転可能に配設された回転部材と、を備え、前記係合部材には、前記容器軸方向に直交する径方向に弾性変形可能で、前記外容器に径方向から係合される係合片が設けられ、前記回転部材には、径方向において前記係合部材を間に挟んで前記外容器の反対側から前記係合部材側に向けて突出する押さえ突部が設けられ、前記回転部材は、前記押さえ突部が前記係合片に径方向で重なり、前記係合片の変形を規制する押さえ位置と、前記係合片の変形の規制を解除する解除位置と、の間を前記容器軸回りに回転可能に構成されていることを特徴としている。
【０００６】
このような特徴により、回転部材が上述の押さえ位置に位置しているときには、係合片の押さえ突部側への弾性変形が規制されるため、係合片と外容器との係合が解除されるのを抑制できる。
一方で、固定部材の取り外し時においては、係合部材に対して回転部材を回転させ、回転部材を上述した解除位置に位置させることで、係合片の押さえ突部側（外容器とは反対側）への弾性変形が許容されるため、係合片と外容器との係合を容易に解除できる。
したがって、横断面視多角形状の外容器内に内容器を強固に保持できるとともに、内容器の取り外し時においては、内容器を容易に取り外することができる、操作性に優れた二重容器を提供できる。
【０００７】
また、前記内容器を前記容器軸方向に付勢して、前記外容器もしくは前記固定部材に押し付ける付勢部材を備えていてもよい。
【０００８】
この場合、外容器内において内容器の容器軸方向へのがたつきを抑えて、内容器を安定して保持できる。
【０００９】
また、前記付勢部材は、前記回転部材に設けられ、前記内容器のうち口部の下端縁から径方向の外側に向けて突設された肩部に前記容器軸方向で当接して、前記容器軸方向のうち前記回転部材と前記内容器とが離間する方向に向けて付勢する弾性押さえ片であってもよい。
【００１０】
この場合、内容器のうち肩部に当接して、回転部材と内容器とを離間する方向に向けて付勢する弾性押さえ片が形成されているため、外容器内において内容器の容器軸方向へのがたつきを抑えて、内容器を安定して保持できる。
【００１１】
また、前記付勢部材は、前記外容器の底部と前記内容器の底部との間に配設され、前記容器軸方向に沿って弾性変形可能な弾性部材であってもよい。
【００１２】
この場合、外容器内において内容器の容器軸方向へのがたつきを抑えて、内容器を安定して保持できる。
【発明の効果】
【００１３】
本発明に係る二重容器によれば、横断面視多角形状の外容器内に、内容器を強固に保持できるとともに、内容器の取り外し時においては、内容器を容易に取り外すことができる操作性に優れた二重容器を提供できる。
【図面の簡単な説明】
【００１４】
【図１】本発明の実施形態に係る二重容器の部分断面図である。
【図２】本発明の実施形態に係る二重容器において、固定部材と外容器とを分解した状態を示す部分断面図である。
【図３】本発明の実施形態に係る二重容器の平面図である。
【図４】本発明の実施形態に係る二重容器の要部を示す断面図である。
【図５】押さえ位置における回転部材と外容器を示す平面図である。
【図６】解除位置における回転部材と外容器を示す平面図である。
【図７】解除位置における二重容器の要部を示す断面図である。
【図８】本発明の他の構成を示す二重容器の部分断面図である。
【発明を実施するための形態】
【００１５】
以下、図面を参照し、本発明の実施形態に係る二重容器を説明する。
図１に示すように、本実施形態に係る二重容器１は、有底筒状のカートリッジ体２と、カートリッジ体２を着脱自在に収納する横断面視多角形状の外容器３と、後述する内容器１１を外容器３に固定する有頂筒状の固定部材４と、有頂筒状のオーバーキャップ５と、を備えている。なお、図示の例では、カートリッジ体２、固定部材４、及びオーバーキャップ５それぞれの中心軸線は、共通軸上に配置されている。以下、この共通軸を容器軸Ｏといい容器軸Ｏ方向に沿うオーバーキャップ５側を上側とし、カートリッジ体２の底部１９側を下側とし、容器軸Ｏに直交する方向を径方向とし、さらに容器軸Ｏ回りの方向を周方向とする。
【００１６】
図１，２に示すように、カートリッジ体２は、内容物が収容された有底筒状の内容器１１と、内容器１１に装着される吐出器１２と、を備えている。
内容器１１の肩部１３は、上方に向かうに従い段々と縮径しており、胴部１４の上端縁から径方向の内側に向けて突設された下段部１５と、下段部１５の内周縁から上方に向けて延設された縦筒部１６と、縦筒部１６の上端縁から径方向の内側に向けて突設された上段部１７と、を備えている。
内容器１１の口部１８は、上段部１７の内周縁から上方に向けて延設された筒状をなしている。また、口部１８の上端縁は、外容器３の上端縁よりも上方に向けて突出している。なお、内容器１１の形状は特に限定しないが、口部１８、肩部１３、及び胴部１４のうち、少なくとも肩部１３よりも上方の横断面形状が円形であることが好ましい。本実施形態では、肩部１３及び口部１８の横断面形状が円形に形成されている。また、胴部１４の横断面形状は、円形でもよく、外容器３の内面形状に倣うような多角形状にしても構わない。
【００１７】
吐出器１２は、内容器１１内に収容された内容物を吐出するポンプ部材２１と、このポンプ部材２１を内容器１１に取り付ける取付キャップ２２と、を備えている。
まず取付キャップ２２は、装着筒２４と、装着筒２４の上方に設けられ、後述するポンプヘッド２５の容器軸Ｏ方向に沿った上下動を案内する案内筒２６と、を備えている。
装着筒２４は、案内筒２６よりも大径に形成されるとともに、上述した内容器１１における口部１８に螺着されている。また、装着筒２４と案内筒２６との連結部分には、その内周面から径方向の内側に向けてフランジ状のポンプ装着部２７が突設されており、このポンプ装着部２７にポンプ部材２１が固定されている。
【００１８】
ポンプ部材２１は、容器軸Ｏと同軸で延びるとともに、ポンプ装着部２７に固定された筒状のポンプ本体２８と、ポンプ本体２８の上端部に装着されたポンプヘッド２５と、を備えている。
ポンプ本体２８は、取付キャップ２２内及び内容器１１内に挿入されており、その上端部が取付キャップ２２のうち案内筒２６の内側に位置するとともに、下端部が内容器１１のうち胴部１４の内側に位置している。また、ポンプ本体２８のうち、容器軸Ｏ方向に沿う中途部には、径方向の外側に向けてフランジ部２８ａが突設されている。このフランジ部２８ａは、パッキン２９を間に挟んだ状態で内容器１１の口部１８の上端開口縁に支持されている。
【００１９】
ポンプ本体２８の内部には、内容器１１内に収容された内容物が流通可能な図示しない導入路が形成されている。この導入路は、下端側が吸上筒３０を介して内容器１１内に連通しているとともに、上端側がポンプヘッド２５の後述する吐出口２５ａに連通している。また、ポンプ本体２８内においてポンプ装着部２７より下方に位置する部分には、図示しないピストン部材が配設されている。
【００２０】
ポンプヘッド２５は、ポンプ本体２８の上端部に上方付勢状態で配置され、その外径が取付キャップ２２の案内筒２６の内径よりも小さくなっており、案内筒２６の内側で容器軸Ｏ方向に沿って移動可能とされている。ポンプヘッド２５には、上述した導入路内に導入された内容物を外部に吐出する吐出口２５ａが形成されている。
【００２１】
図１〜３に示すように、外容器３は、径方向に沿う横断面形状が正方形状に形成されるとともに、上方に向けて開口する有底筒状であり、横断面がなす正方形状の中央部に上述した容器軸Ｏが通っている。外容器３の胴部３１は、容器軸Ｏ方向に沿って延在する四隅の角部３２（図３参照）と、隣接する角部３２間に形成された四面の主壁部３３と、で構成されている。上述した角部３２は、横断面視において径方向外側に向けて突の円弧状にそれぞれ形成されており、隣接する角部３２のうち周方向で対向する端部同士が平面状の主壁部３３により架け渡されている。
【００２２】
図２，４に示すように、外容器３の上端開口縁のうち内周縁には、上方に向けて突出する突出部３４が全周に亘って形成されている。
各主壁部３３の内面のうち上端部には、径方向の外側に向けて窪む係合凹部３５がそれぞれ形成されている。これら係合凹部３５は、容器軸Ｏ方向に沿う縦断面視において矩形状の溝であり、各主壁部３３の周方向に沿う中間部分に配設されるとともに、周方向に沿って延在している。なお、図示の例では、容器軸Ｏ方向において、係合凹部３５は、内容器１１の下段部１５と上段部１７との間に位置している。
また、外容器３のうち、容器軸Ｏ方向に沿う突出部３４と係合凹部３５との間に位置する部分は、下方に向かうに従い内径が漸次縮小するテーパ部３８とされている。
【００２３】
固定部材４は、外容器３に着脱可能に係合された係合部材４１と、係合部材４１の内側に容器軸Ｏ回りに回転可能に保持された回転部材４４と、を備えている。
図２〜４に示すように、係合部材４１は、径方向に沿う横断面形状が正方形状に形成された有頂筒状に形成され、横断面がなす正方形状の中央部に上述した容器軸Ｏが通っている。具体的に、係合部材４１は、外容器３内に係合された周壁部４８と、周壁部４８の上端部から径方向の内側に向けて突設された頂部４９と、を備えている。
【００２４】
周壁部４８は、上述した外容器３の胴部３１に倣って延在する角部４２（図３参照）及び主壁部４３を有している。図２に示すように、各主壁部４３の下端縁のうち、周方向に沿う中間部分には、上方に向けて切り込まれたスリット４５がそれぞれ周方向に間隔をあけて一対ずつ形成されている（図２では一方のスリット４５のみ示す）。そして、各主壁部４３において、周方向で隣り合うスリット４５同士の間、すなわち各主壁部４３のうち周方向に沿う中間部分が、径方向に沿って弾性変形可能な係合片４６となっている。なお、主壁部４３のうち、係合片４６の下端縁は他の部分よりも上方に位置している。
【００２５】
図２，４に示すように、各係合片４６の下端部には径方向の外側に向けて突出する係合突部４７が形成されている。これら係合突部４７は、容器軸Ｏ方向に沿う縦断面視において半円状に形成され、係合片４６の外面において周方向に沿う全長に亘って延在している。この場合、各係合突部４７は、上述した外容器３の係合凹部３５に径方向で重なる位置に配設され、係合凹部３５にアンダーカット嵌合されている。
【００２６】
係合部材４１の周壁部４８のうち、容器軸Ｏ方向に沿う中間部分には、径方向の外側に向けて突出する外フランジ部５１が形成されている。この外フランジ部５１は、周壁部４８の周方向の全周に亘って形成されており、上述した外容器３の突出部３４上に配置されている。
【００２７】
頂部４９は、内容器１１の肩部１３を上方から覆うように形成された略正方形板状のものであり（図３参照）、その中央部には平面視で円形の開口部５２が形成されている。なお、上述した周壁部４８の上端縁は、頂部４９よりも上方に向けて突出している。
【００２８】
回転部材４４は、係合部材４１の開口部５２内を貫くように配設された筒状の部材であり、上筒部６１及び下筒部６２により頂部４９の内周縁を容器軸Ｏ方向に挟持した状態で保持されている。
上筒部６１は、係合部材４１における開口部５２内に上方から挿入されるとともに、取付キャップ２２の装着筒２４を径方向の外側から囲繞している。容器軸Ｏ方向において、上筒部６１は内容器１１の上段部１７に上方から対向している。また、上筒部６１には径方向の外側に向けて突出するフランジ部６３が形成されており、このフランジ部６３が係合部材４１の頂部４９の内周縁に上方から当接している。
【００２９】
上筒部６１のうち、フランジ部６３よりも上方に位置する部分は、係合部材４１の上端縁よりも上方に向けて突出している。また、上筒部６１のうち、フランジ部６３よりも上方に位置する部分には、径方向の外側に向けて突出するリブ６４が容器軸Ｏ方向に沿って延在している。このリブ６４は、周方向に沿って間隔をあけて複数配設されている。
【００３０】
一方、上筒部６１のうち、フランジ部６３よりも下方に位置する部分は、係合部材４１の開口部５２内に挿入されている。また、上筒部６１における下端部の外面には、径方向の外側に向けて突出する突起部６５が周方向に間隔をあけて複数形成されている。なお、上筒部６１の下端縁（突起部６５の下端縁）の外面は、下方に向かうに従い外径が縮小するテーパ状に形成されている。
【００３１】
下筒部６２は、係合部材４１の周壁部４８内に下方から挿入されるとともに、内容器１１の縦筒部１６を径方向の外側から囲繞している。下筒部６２は係合部材４１のうち頂部４９よりも下方に位置する部分に配設されるとともに、内容器１１の下段部１５に上方から対向している。
【００３２】
下筒部６２の上端部の内面には、径方向の外側に向けて窪む収容部６６が周方向に間隔をあけて複数形成されている。各収容部６６に上筒部６１の突起部６５が各別にアンダーカット嵌合されている。そして、上筒部６１のフランジ部６３と、下筒部６２の上端縁と、の間に頂部４９の内周縁を挟持した状態で、上筒部６１及び下筒部６２が共回りするようになっている。なお、下筒部６２の上端縁の内面は、上方に向かうに従い外径が拡大するテーパ状に形成されている。
【００３３】
また、下筒部６２の内面のうち、容器軸Ｏ方向に沿う中間部分には、径方向の内側に向けて突出するストッパ６７が周方向の全周に亘って、もしくは間欠に形成されている。ストッパ６７には、上述した上筒部６１の下端縁が上方から当接または近接する一方、内容器１１の上段部１７が下方から当接または近接している。
【００３４】
ここで、図４，５に示すように、下筒部６２の下端部の外面には、径方向の外側に向けて突出する押さえ突部７１が周方向に沿って間隔をあけて複数形成されている。これら押さえ突部７１は、容器軸Ｏ方向に沿う縦断面視において、矩形状の突部であり、周方向に沿って延在している。また、押さえ突部７１のうち径方向の外側に位置する外周面は、下筒部６２の外形に倣う円弧状に形成され、そのうち周方向に沿う両端部は、周方向の外側に向かうに従い径方向の内側に向けて延びる傾斜面に形成されている。
【００３５】
各押さえ突部７１は、上述した係合部材４１の各主壁部４３に形成された係合片４６に、径方向の内側からそれぞれ各別に近接または当接しており、係合片４６の径方向の外側への弾性変形を規制している。具体的に、各押さえ突部７１は、径方向から見て外容器３の各係合凹部３５及び係合部材４１の各係合突部４７とそれぞれ重なる位置、すなわち各主壁部３３，４３のうち周方向の中央部に対向している。本実施形態において、各押さえ突部７１は、上述した外容器３の各係合凹部３５及び係合部材４１の各係合突部４７（係合片４６）にそれぞれ対応する位置に、各係合凹部３５及び各係合突部４７と同数形成されている。図示の例では、係合部材４１において周方向に沿う９０度ごとの４箇所に押さえ突部７１が形成されている。なお、各押さえ突部７１の容器軸Ｏ方向に沿う長さは、上述した係合部材４１の係合突部４７よりも長くなっている。
【００３６】
そして、本実施形態の回転部材４４は、各押さえ突部７１が係合突部４７に径方向で重なり、係合片４６の径方向の内側への変形を規制する押さえ位置と、押さえ突部７１が係合突部４７を周方向に回避（径方向で重ならない）して、係合片４６の変形の規制を解除する解除位置と、の間を容器軸Ｏ回りに回動可能に構成されている。なお、図６に示す例では、解除位置において、各押さえ突部７１が各角部３２，４２と径方向で対向している。
【００３７】
また、図２，４に示すように、下筒部６２の下端縁には、周方向に延び、かつ各押さえ突部７１をそれぞれ下方から跨ぐ複数の弾性押さえ片（付勢部材）７２が形成されている。これら弾性押さえ片７２は、下方に向けて膨出するアーチ状に形成されており、容器軸Ｏ方向に沿って弾性変形可能に構成されている。各弾性押さえ片７２は、回転部材４４と内容器１１とが離間する方向に付勢された状態で、内容器１１の肩部１３のうち下段部１５の上面に当接している。これにより、内容器１１の底部１９が外容器３の底部３９に押し付けられている。
【００３８】
また、図１に示すように、オーバーキャップ５は、ポンプヘッド２５及び固定部材４を覆うように配設されており、その下端縁が外容器３における胴部３１の上端縁に当接した状態で、係合部材４１に外嵌されている。
【００３９】
次に、上述した二重容器１の作用について説明する。なお、以下の説明では、主として固定部材４の取付方法及び取り外し方法について説明する。
まず、外容器３内にカートリッジ体２を上方から挿入する。
続いて、固定部材４を外容器３に装着する。具体的には、図６，７に示すように、係合部材４１に対して回転部材４４を容器軸Ｏ回りに回転させ、押さえ突部７１が係合突部４７を径方向に回避した解除位置に位置させる。そして、固定部材４と外容器３との間で、角部３２，４２同士、及び主壁部３３，４３同士の周方向の位置を合わせた状態で、固定部材４を上方から外容器３内に挿入する。すると、回転部材４４内に吐出器１２のポンプ部材２１の上端部及び取付キャップ２２が挿入された後、固定部材４の下端部が外容器３内に挿入される。
【００４０】
固定部材４が外容器３内に挿入されると、係合部材４１の各係合突部４７が外容器３の主壁部３３の内面に接触する。このとき、外容器３のうち、容器軸Ｏ方向に沿う突出部３４と係合凹部３５との間に位置する部分は、下方に向かうに従い内径が漸次縮小するテーパ部３８とされているため、係合突部４７は上端部を起点にして径方向の内側に向けて弾性変形しつつ、テーパ部３８上を摺接しながら下方に向けて移動する。
【００４１】
その後、各係合突部４７の頂点が係合凹部３５の上端縁を乗り越えることで、各係合片４６が復元変形する。これにより、各係合突部４７が、径方向で対向する各主壁部３３の各係合凹部３５内にそれぞれ係合される。このとき、係合部材４１の外フランジ部５１が外容器３の胴部３１の上端縁に当接するとともに、弾性押さえ片７２が回転部材４４と内容器１１とが離間する方向に付勢された状態で内容器１１の下段部１５の上面に当接する。
【００４２】
続いて、図４，５に示すように、係合部材４１に対して回転部材４４を容器軸Ｏ回りに回転させ、各押さえ突部７１が係合突部４７に径方向で重なる押さえ位置に位置させる。これにより、係合突部４７を間に挟んで係合凹部３５の反対側に押さえ突部７１が配設され、係合片４６の径方向の内側への移動が規制される。
以上により、固定部材４の取り付けが完了する。
【００４３】
次に、カートリッジ体２を外容器３から取り外す際は、まず、係合部材４１に対して回転部材４４を容器軸Ｏ回りに回転させ、上述した解除位置に位置させる。これにより、係合片４６の変形の規制が解除される。
【００４４】
次に、固定部材４を上方に向けて引き抜く。この場合、係合部材４１の係合突部４７は、径方向の内側に向けて弾性変形し、係合凹部３５の内面を摺接しながら上方に向けて移動することで、係合凹部３５の上端縁を乗り越える。これにより、係合突部４７と係合凹部３５との係合が解除され、固定部材４が外容器３から取り外される。
その後、カートリッジ体２を外容器３から引き抜き、新しいカートリッジ体２を外容器３内に挿入するとともに、上述した取付方法により固定部材４を外容器３に再度取り付ける。以上により、カートリッジ体２の交換作業が完了する。
【００４５】
以上説明したように、本実施形態における二重容器１によれば、回転部材４４が押さえ位置に位置しているときには、係合片４６の押さえ突部７１側（径方向の内側）への弾性変形が規制されるため、係合片４６（係合突部４７）と外容器３の係合凹部３５との係合が解除されるのを抑制できる。
一方で、固定部材４の取り外し時においては、係合部材４１に対して回転部材４４を回転させ、回転部材４４を上述した解除位置に位置させることで、係合片４６の押さえ突部７１側（径方向の内側）への弾性変形が許容されるため、係合片４６（係合突部４７）と外容器３の係合凹部３５との係合を容易に解除できる。
したがって、横断面視多角形状の外容器３内にカートリッジ体２を強固に保持できるとともに、カートリッジ体２の取り外し時においては、カートリッジ体２を容易に取り外すことができる操作性に優れた二重容器１を提供できる。
【００４６】
また、本実施形態では、内容器１１のうち肩部１３の下段部１５に当接して、回転部材４４と内容器１１とを離間する方向に向けて付勢する弾性押さえ片７２が形成されているため、内容器１１を容器軸Ｏ方向に付勢して外容器３の底部３９に押し付けることができる。そのため、外容器３内において内容器１１の容器軸Ｏ方向へのがたつきを抑えて、内容器１１を外容器３内に安定して保持できる。
【００４７】
以上、本発明の実施形態について図面を参照して詳述したが、具体的な構成はこの実施形態に限られるものではなく、本発明の要旨を逸脱しない範囲の設計変更等も含まれる。
【００４８】
例えば、上述した実施形態では、回転部材４４と内容器１１の肩部１３との間に弾性押さえ片７２を設ける構成について説明したが、これに限らず、図８に示すように、外容器３の底部３９と内容器１１の底部１９との間に容器軸Ｏ方向に沿って弾性変形可能な弾性部材（付勢部材）１１０を設けても構わない。この場合、係合部材４１の下端縁、または回転部材４４の下筒部６２の下端縁が、肩部１３の上面に当接するような構成が好ましい。
この構成によれば、内容器１１を容器軸Ｏ方向に付勢して固定部材４側に押し付けることができるため、上述した実施形態と同様に、外容器３内において内容器１１の容器軸Ｏ方向へのがたつきを抑えて、内容器１１を安定して保持できる。なお、上述した弾性抑え片７２と弾性部材１１０の双方を用いる構成にしても構わない。
【００４９】
また、上述した実施形態では、回転部材４４と内容器１１との間に回転部材４４と一体的に形成された弾性押さえ片７２を設ける構成について説明したが、これに限らず、回転部材４４と内容器１１との間に別体の弾性部材を設けても構わない。
【００５０】
また、上述した実施形態では、外容器３の各主壁部３３に係合凹部３５をそれぞれ一箇所ずつ設ける構成について説明したが、これに限らず、各主壁部３３に複数箇所ずつ設けても構わない。また、各主壁部３３のうち、少なくとも何れかの主壁部３３に固定部材４が係合すれば構わない。
さらに、上述した実施形態では、係合片４６と押さえ突部７１を同数設ける構成について説明したが、これに限らず、係合片４６と押さえ突部７１は異数であっても構わない。
さらに、上述した実施形態では、押さえ突部７１が係合突部４７を径方向で回避した位置を解除位置としたが、これに限らず、係合片４６の変形の規制が解除されていれば、押さえ突部７１と係合片とが径方向の一部で重なっていても構わない。
【００５１】
また、上述した実施形態では、外容器３の横断面形状を正方形状に形成した場合について説明したが、これに限らず、三角形、五角形等、適宜変更可能である。
また、上述した実施形態では、内容器１１を円筒形状に形成した場合について説明したが、これに限らず、外容器３に対応して角筒形状にしても構わない。
【００５２】
さらに、上述した実施形態では、固定部材４が外容器３内に係合される構成について説明したが、これに限らず、固定部材４を外容器３に外嵌する構成にしても構わない。
また、上述したように押さえ位置において、押さえ突部７１と係合片４６とは近接していても、当接していても構わない。但し、近接している場合には、径方向において、押さえ突部７１と係合片４６との隙間が、係合突部４７の突出量よりも狭くなるように設定することが好ましい。
【００５３】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００５４】
１…二重容器
３…外容器
４…固定部材
１１…内容器
１３…肩部
１９…内容器の底部
３９…外容器の底部
４１…係合部材
４４…回転部材
４６…係合片
７１…押さえ突部
７２…弾性押さえ片（付勢部材）
１１０…弾性部材（付勢部材）
Ｏ…容器軸
【図１】
0005767954.tif 000002
【図２】
0005767954.tif 000003
【図３】
0005767954.tif 000004
【図４】
0005767954.tif 000005
【図５】
0005767954.tif 000006
【図６】
0005767954.tif 000007
【図７】
0005767954.tif 000008
【図８】
0005767954.tif 000009